(57)【要約】【課題】電線やケーブルの敷設作業の手間と煩雑さを解消するため、電線とケーブルをまとめてカバーで覆って敷設できるようにした配線具と、それを用いた配線構造を提供する。【解決手段】電線６ａ，６ｂ，６ｃの周囲を絶縁材で覆い該電線を保護する配線具１，１０が、絶縁材の長手方向に延びた面に沿って索体を収容する溝７，８を有することを特徴とする。電線６ａ，６ｂ，６ｃは、絶縁材２，３と一体に長手方向に延びた状態で絶縁材に覆われるか、或いは、絶縁材の長手方向に形成した貫通孔１４の中を移動自在に延びた状態で絶縁材に覆われる。上記の溝に収容される索体は、同軸ケーブル、ＬＡＮケーブル、光ケーブル、電話線、電線等である。【選択図】　図１
2004032928.tif 000002
【特許請求の範囲】
【請求項１】
電線の周囲を絶縁材で覆い該電線を保護する配線具において、
前記絶縁材の長手方向に延びた面に沿って索体を収容する溝を有することを特徴とする配線具。
【請求項２】
前記電線は前記絶縁材と一体に長手方向に延びた状態で前記絶縁材に覆われていることを特徴とする請求項１記載の配線具。
【請求項３】
前記電線は前記絶縁材の長手方向に形成した貫通孔の中を移動自在に延びた状態で前記絶縁材に覆われることを特徴とする請求項１記載の配線具。
【請求項４】
請求項１乃至３のいずれか記載の配線具において、前記索体は、同軸ケーブル、ＬＡＮケーブル、光ケーブル、電話線又は電線であることを特徴とする配線具。
【請求項５】
電線の端部が挿入可能な複数の挿入口を両端面に設けた絶縁材から成り、該絶縁材の長手方向に延びた面に沿って索体を収容する溝を有するコネクタ本体と、前記両端面の挿入口から前記コネクタ本体内に挿入された少なくとも２本の電線の向い合う端部間を電気的に接続するように前記コネクタ本体内に配置された導電部材とを備えたことを特徴とする配線具。
【請求項６】
配線用の電線及び／又は索体を挿通する開口を形成した両端部と、該両端部の間にあって該両端部を連結し且つ前記開口と連通した空洞を有する可撓性中間部とを備えたことを特徴とする配線具。
【請求項７】
電線の周囲を覆う絶縁材から成り、その長手方向に延びた面に沿って索体を収容する溝を有する配線具と、前記電線の端部が挿入可能な複数の挿入口を両端面に設けた絶縁材から成り、該絶縁材の内部に前記両端面の挿入口から挿入された電線の端部間を電気的に接続する導電部材を内蔵したコネクタとで構成され、
前記コネクタの両端面の挿入口に前記配線具から突出した電線を挿入することにより当該コネクタを介して複数の配線具を接続することを特徴とする配線構造。
【発明の詳細な説明】
【０００１】
【発明の属する技術分野】
本発明は、電線（電源から電流を供給する電線のほか、通信用の配線又はケーブル等の索体を含む。）の周囲を絶縁材で覆って電線を保護するように構成した配線具及びその配線具を用いた配線構造に関する。
【０００２】
【従来の技術】
近年、コンピュータや周辺機器のネットワーク化の進展に伴い、ＬＡＮを導入する企業等が増えており、ＬＡＮケーブルが用いられている。また、大容量且つ高速の通信路を提唱する手段として、光ケーブルも普及してきている。その一方で、建物の室内には電話やテレビ受像機も設置されることが多く、例えば、ＴＶのアンテナ線としては同軸ケーブルが使用されている。
【０００３】
これらのケーブルをそのまま建物の床や壁面に敷設すると、人目につく場所では外観を損い、人が通行するような場所では、通行者が足を引っ掛けたりケーブルを損傷する恐れがある。そこで、ケーブルを敷設する建物の床や壁面等の場所に、例えば合成樹脂製の細長い基板を敷いてその上にケーブルを延伸させ、その上方から細長いカバーを被せる工事が行われている。
【０００４】
【発明が解決しようとする課題】
しかしながら、従来の工事は、上記のようにいくつかの作業工程を必要とし、ケーブル敷設後の外観を損わないためにはカバーの取付け位置や仕上がりにも配慮する必要があり、最近ではオフィスや一般家庭で必要な信号線の数も増大する一方なので、上記のようなケーブルの敷設作業には手間と時間がかかっている。
【０００５】
また、オフィスや一般家庭で用いられる、電源を必要とする装置も、多種・多様化しており、各装置に電流を供給する電線の数も増大する一方である。これらの電線は、一般に装置の裏面側に配置されるので、上記のケーブル程には目立たないが、それでも本数が増えれば煩雑であり、見た目にも煩わしい。そして、これらの電線やケーブルの数が増えるほど、上記のような電線とケーブルの敷設作業の手間や煩雑さの問題も増大する。
【０００６】
本発明の目的は、上記の電線やケーブルの敷設作業の手間と煩雑さを解消するため、電線とケーブルをまとめてカバーで覆って敷設できるようにした配線具と、それを用いた配線構造を提供することである。
【０００７】
【課題を解決するための手段】
本発明の第１の態様は、電線の周囲を絶縁材で覆って電線を保護する配線具であり、その絶縁材の長手方向に延びた面に沿って索体を収容する溝を有することを特徴とする。
【０００８】
この配線具の実施態様には、電線を上記絶縁材と一体に長手方向に延びた状態で覆う形態のものと、電線を上記絶縁材の長手方向に形成した貫通孔の中を移動自在に延びた状態で覆う形態のものとがある。
【０００９】
本発明の配線具に設けた溝に沿って収容される索体は、例えば、同軸ケーブル、ＬＡＮケーブル、光ケーブル又は電話線である。或いは、電線でもよい。
【００１０】
本発明の別態様は、電線の端部が挿入可能な複数の挿入口を両端面に設けた絶縁材から成り、該絶縁材の長手方向に延びた面に沿って索体を収容する溝を有するコネクタ本体と、前記両端面の挿入口から前記コネクタ本体内に挿入された少なくとも２本の電線の向い合う端部間を電気的に接続するように前記コネクタ本体内に配置された導電部材とを備えたことを特徴とするコネクタ型の配線具である。
【００１１】
本発明の更に別の態様は、配線用の電線及び／又は索体を挿通する開口を形成した両端部と、該両端部の間にあって該両端部を連結し且つ前記開口と連通した空洞を有する可撓性中間部とを備えたことを特徴とする継ぎ手型の配線具である。
【００１２】
本発明の配線構造は、電線の周囲を覆う絶縁材から成り、その長手方向に延びた面に沿って索体を収容する溝を有する配線具と、前記電線の端部が挿入可能な複数の挿入口を両端面に設けた絶縁材から成り、該絶縁材の内部に前記両端面の挿入口から挿入された電線の端部間を電気的に接続する導電部材を内蔵したコネクタとで構成され、前記コネクタの両端面の挿入口に前記配線具から突出した電線を挿入することにより当該コネクタを介して複数の配線具を接続することを特徴とする。
【００１３】
【作用及び効果】
第１の態様の配線具によれば、電線は絶縁材で覆われる。これに加えて、ＬＡＮケーブル等の索体を敷設するときは、延伸した索体をこの絶縁材の長手方向に延びた面に沿って設けた溝に収容するようにして配線具を設置する。これにより、電線と索体が共にカバーされた状態で敷設される。すなわち、配線具は、電線のカバーと索体のカバーとを兼用するものであり、電線とＬＡＮケーブル等の索体をまとめて敷設できるので、電線やケーブルの敷設作業の手間と煩雑さが解消される。
【００１４】
この配線具の実施態様の１つである、電線を絶縁材と一体に長手方向に延びた状態で覆う形態のものを用いる場合は、電線は既にカバーされており、このカバーを用いてケーブルを敷設することにより、電線とケーブルの敷設が同時に達成される。
【００１５】
もう１つの実施態様である、電線を絶縁材の長手方向に形成した貫通孔の中を移動自在に延びた状態で覆う形態のものを用いる場合は、その貫通孔に電線を通すことで電線がカバーされる。この電線の他に敷設したい電線やケーブル等の索体を絶縁材の溝に収容することで、電線とケーブルの敷設が同時に達成される。或いは、索体を絶縁材の溝に収容することでカバーした後、絶縁材の貫通孔に電線（或いは別の索体）を通すことも可能であり、これによって電線とケーブル等の敷設が達成される。
【００１６】
別態様のコネクタ型の配線具によれば、絶縁材から成る本体の両端面の挿入口から挿入された２本の電線の向い合う端部は、導電部材により電気的に接続される。すなわち、この配線具を介してその両側の電線が電気的に導通する状態となる。従って、この配線具は、上記第１の態様すなわち電線とケーブルの保護カバーとしての配線具を連結することで、保護カバーを必要な長さまで延長できるコネクタとして用いることができる。また、絶縁材の長手方向に延びた面に沿って設けられた溝にケーブルを収容することができるので、この配線具も電線とケーブルのカバーとして兼用される。
【００１７】
更に別態様の継ぎ手型の配線具によれば、電線と索体のどちらか或いは両方を、一方の端部の開口から挿入して可撓性中間部の空洞に挿通し、他方の端部の開口から出すことで、電線や索体をカバーすることができる。そして、この配線具の中間部は可撓性を有するので、この中間部を曲げることができる。従って、例えば、電線やケーブルを天井面から壁面に亘って敷設する場合、電線やケーブルをこの配線具に挿通し、これを天井部と壁面の境界に配置して中間部を曲げることにより、この配線具でカバーされた電線やケーブルが天井面上から曲がって壁面上に延びることになる。すなわち、天井面と壁面のように方向が異なる面上でも電線やケーブルをそれらの面に沿って敷設することができる。
【００１８】
また、この継ぎ手型配線具の一方の端部の開口に上記コネクタ型の配線具の一端部を挿入可能に構成することで、両配線具を接続できる。その場合、継ぎ手型配線具の他方の端部の開口から挿通した電線の端部を当該コネクタ型配線具の一端面の挿入口に挿入し、当該コネクタ型配線具の他端面の挿入口には、上記第１の態様すなわち電線保護カバーとしての配線具でカバーされた電線の端部を挿入することにより、第１の態様の配線具でカバーされた電線と継ぎ手型配線具でカバーされた電線とを電気的に接続することができる。
【００１９】
本発明の配線構造によれば、電線の周囲を覆う絶縁材から成る電線保護カバー型の配線具とコネクタとを接続することにより、複数の配線具を接続して構成される配線構造の長さを変えることができる。例えば、単位長１ｍの電線保護カバーを上記コネクタを用いて接続することにより、任意のメートル長の配線構造を設置することができる。
【００２０】
【発明の実施の形態】
図１は、本発明の配線具の第１実施例である電線保護カバーの外観斜視図である。この電線保護カバー１は、耐燃性ポリエチレン樹脂のような絶縁材で形成された上カバー部材２と下カバー部材３とを上下に重ね合わせて接合することによって構成されている。その外表面には、両部材の接合部４を示す線が現れている。
【００２１】
この接合部４を形成する上下カバー部材２，３の各接合面には、その長手方向に、例えばポリオレフィン系ポリエチレン製の絶縁性被覆５ａ，５ｂ，５ｃで覆われた軟銅製の導体から成る３本の電線６ａ，６ｂ，６ｃを収納するため、断面半円形の凹部が形成され、各電線６ａ，６ｂ，６ｃは、各被覆５ａ，５ｂ，５ｃと共に上下カバー部材２，３の接合面に挟まれた状態で一体に収納され、各電線の両端部が上下カバー部材２，３の両端面から突出するように配置されている。その突出量は、例えば　２０　ｍｍとする。なお、各電線の被覆５ａ，５ｂ，５ｃを構成している絶縁材料としては、例えば、耐熱温度が約　６０　℃のものを用いる。
【００２２】
上記のように電線６ａ，６ｂ，６ｃを収納する上下カバー部材２，３を形成する絶縁材としては、例えばポリオレフィン系の難燃剤が配合された耐燃性ポリエチレン、ポリ塩化ビニル、又は塩化ビニル樹脂等が用いられ，耐熱温度は約９０℃である。このような絶縁材から成る上下カバー部材２，３の接合面は、熱融着されて接合部４を形成する。上下カバー部材２，３の全長（１単位）は、例えば１０００ｍｍ，２０００ｍｍの２種類とする。
【００２３】
この実施例の下カバー部材３は、その長手方向に延びた両側面の下部に、前述の同軸ケーブルその他の索体を収容する断面円弧状の溝７及び８を有し、これらの溝の内径は、収納するケーブルの外径に応じて異なる径となるように定められる。
【００２４】
図１の実施例では、溝７，８はそれぞれ同軸ケーブル用、ＬＡＮケーブル用とし、溝７の内径（例えば３ｍｍ）よりも溝８の内径（例えば４ｍｍ）の方を大きく形成している。ケーブルを敷設する際には、これらの溝７，８内にそれぞれ長さ方向に延伸したケーブルが収納される。
【００２５】
図１の実施例は、上記のように接合した絶縁材から成る上下カバー部材２，３で電線６ａ，６ｂ，６ｃを一体に覆う形態のものであり、電線は既にカバーされており、このカバーを用いてケーブルを敷設することにより、電線とケーブルの敷設が同時に達成される。
【００２６】
図２は、第２の実施例に係る電線保護カバー１０の外観を示す斜視図である。この図において、図１の配線具と同じ部分或いは同じ部材には同一の符号を付してある。
【００２７】
この電線保護カバー１０は、図１の上下カバー部材２，３の材料と同様の絶縁材で作られるが、全体として１つの部材から成り、その長手方向に形成された貫通孔１４を備えている。このような筒状の電線保護カバー１０は、例えば、貫通孔１４をくり抜くような棒状部を有する成形型に、前述の樹脂材料を流し込むことによって一体成形される。その貫通孔１４内には、複数（図示の場合、３）本の電線６ａ，６ｂ，６ｃが移動自在に収納され、各電線６ａ，６ｂ，６ｃは、図１の実施例と同様、両端が電線保護カバー１０の両端から突出する長さを有する。
【００２８】
図２の実施例は、上記のように絶縁材の長手方向に形成した貫通孔１４の中に電線６ａ，６ｂ，６ｃを移動自在に延びた状態で覆う形態のものであり、例えば、延伸したケーブルを電線保護カバー１０の溝７又は８に収容することでカバーした後、貫通孔１４に電線６ａ，６ｂ，６ｃを通すことも可能であり、これによって電線とケーブルの敷設が達成される。
【００２９】
図３は、本発明の配線具の別実施例であるコネクタの外観斜視図である。このコネクタ２０は、電線６ａ，６ｂ，６ｃの端部を挿入可能な複数の挿入口９ａ，９ｂ，９ｃを両端面に有する。
【００３０】
コネクタ２０は、上記電線保護カバー１又は１０と同様の絶縁材で形成されたコネクタ本体と、その内部に配置された複数の導電部材（後述）とから成り、コネクタ本体は、上コネクタ部材１１と下コネクタ部材１２とを上下に重ね合わせて接合することによって構成されている。コネクタ２０の長さは、例えば４５　ｍｍである。その外表面には、両部材の接合部１３を示す線が現れている。この接合部１３を形成する上下コネクタ部材１１，１２の各接合面には、図４に示すように、３本の電線６ａ，６ｂ，６ｃの端部が挿入される挿入口９ａ，９ｂ，９ｃを形成する断面半円形の凹溝２１が設けられる。下コネクタ部材１２の下部の長手方向に延びた面には、前記実施例と同様にケーブルを収容する溝７及び８が設けられている。
【００３１】
また、下コネクタ部材１２の上面（接合面）には、図４に示すように矩形状の穴Ｈａ，Ｈｂ，Ｈｃが形成される一方、上コネクタ部材１１の下面（接合面）には、上下コネクタ部材１１，１２を接合したときこれらの穴に対応してその上に広がる凹部が形成されている。下コネクタ部材１２の穴Ｈａ，Ｈｂ，Ｈｃには、それぞれ図６に示す導電部材３０ａ，３０ｂ，３０ｃが収納される。これらの穴の形状及び大きさは、各穴に収納した導電部材３０ａ，３０ｂ，３０ｃが動かないように定められている。
【００３２】
図５は、コネクタ２０に電線６ａの端部を挿入する前後の内部状態を示す断面図であり、（Ａ）は挿入前の状態、（Ｂ）は一端側から挿入した状態を示している。
【００３３】
図５（Ａ）に示すように、コネクタ２０内に収納された一の導電部材３０ａは、コネクタ本体の挿入口９ａから挿入された電線６ａの端部を電気的に接続するための導通部１６Ｌ，１６Ｒ、天井部１５ａ及び当接部１７Ｌ，１７Ｒを有する。当接部１７Ｌ，１７Ｒは、略Ｕ字状の板金の下辺の両端から立ち上がった２つの当接片として形成されている。
【００３４】
図５（Ｂ）に示すように、例えば、左側の挿入口９ａから挿入された電線６ａの端部は、導通部１６Ｌに接触した後、当接部１７Ｌによって天井部１５ａの下面に確実に当接するように押される。他の電線６ｂ，６ｃの端部を挿入するときも、コネクタ２０内部の状態は同様である。
【００３５】
また、右側の挿入口９ａから電線６ａ，６ｂ又は６ｃの端部を挿入すると、その端部は導通部１６Ｒに接触した後、当接部１７Ｒによって天井部１５ａの下面に確実に当接するように押される。
【００３６】
図６は、上記コネクタ本体の内部に配置される３つの導電部材３０ａ，３０ｂ，３０ｃを示す斜視図である。各導電部材３０ａ，３０ｂ，３０ｃは、導通部１６Ｌ，１６Ｒを形成した部材と当接部１７Ｌ，１７Ｒを形成した部材とが、カシメ１８により一体化されており、両部材は、それぞれ金属板のような弾性及び導電性を有する材料から成る。
【００３７】
各導電部材３０ａ，３０ｂ，３０ｃの導通部１６Ｌ，１６Ｒを形成した部材は、その上部が図６において右側に円弧状に延びて天井部１５ａ，１５ｂ，１５ｃを形成する一方、導通部１６Ｌ，１６Ｒの上端は円弧部１９ａ，１９ｂ，１９ｃに対向する部分が切り欠かれており、図７に示すように、その切欠き部３１ａ，３１ｂ，３１ｃを電線６ａ，６ｂ，６ｃの端部が通るようになっている。
【００３８】
例えば、上記の配線具でカバーされた電線６ａ，６ｂ，６ｃの端部が、コネクタ本体の挿入口９ａ，９ｂ，９ｃに挿入されると、各端部は、円弧部１９ａ，１９ｂ，１９ｃに沿って、当該挿入口９ａ，９ｂ，９ｃ側の導通部１６Ｌ又は１６Ｒの切欠き部３１ａ，３１ｂ，３１ｃを通るが、その際、導通部１６Ｌ又は１６Ｒを少し押し下げる。図５（Ｂ）に示すように、電線６ａ，６ｂ，６ｃの端部が更に進入すると、当接部１７Ｌ（又は１７Ｒ）をその弾性力に抗して押し下げ、その反発力により、電線６ａ，６ｂ，６ｃの端部は天井部１５ａ，１５ｂ，１５ｃに押し付けられる。
【００３９】
他の配線具でカバーされた電線６ａ，６ｂ，６ｃの端部が反対側の挿入口９ａ，９ｂ，９ｃから挿入されたときも、上記と同様であり、それらの電線６ａ，６ｂ，６ｃの端部は、反対側の当接部１７Ｒ又は１７Ｌにより天井部１５ａ，１５ｂ，１５ｃに押し付けられる。
【００４０】
こうして、上記コネクタ２０の両側から挿入された電線６ａ，６ｂ，６ｃの端部は、互いに向い合うと共に、各導電部材３０ａ，３０ｂ，３０ｃを介して電気的に接続された状態となる。この状態で各電線６ａ，６ｂ，６ｃの端部が引き抜かれると、各導電部材３０ａ，３０ｂ，３０ｃは、図５（Ａ）の状態に復帰する。
【００４１】
次に、図８及び図９（ａ）（ｂ）を参照して、本発明の更に別の実施例である継ぎ手型の配線具について説明する。
【００４２】
この継ぎ手４０は、側面側から見て左右対称な形状で、その左右の端部４２，４４には、例えば図１の電線保護カバー１の端部を挿入できる開口４１を形成し、これら両端部４２，４４間をつなぐ中間部４３は、折り曲げ自在な蛇腹状に形成されることで可撓性を有する部分となっている。この中間部４３は、両端部４２，４４の開口４１と連続した空洞を有する筒形状体であり、その中心軸方向に所定間隔で全周に亘って溝４５を設けることによって蛇腹部を構成している。
【００４３】
両端部４２，４４の開口４１の形状は、図９（ａ）に示すように、四隅を円弧状に形成した矩形である。また、中間部４３の断面形状も、図９（ｂ）に示すように、四隅を円弧状に形成した矩形である。
【００４４】
この継ぎ手４０には、一方の端部４２又は４４の開口４１から、電線又はケーブル或いはその両方を挿入して中間部４３の空洞に挿通し、反対側の端部４４又は４２の開口４１から出すことで、電線やケーブルをカバーすることができる。その中間部４３は曲げることができるので、例えば、電線やケーブルを室内の天井面から壁面に亘って敷設する場合、電線やケーブルをこの継ぎ手４０に挿通し、これを天井面と壁面の境界に配置して中間部４３を曲げることにより、この継ぎ手４０でカバーされた電線やケーブルを天井面上から曲げて壁面上に延長することができる。すなわち、天井面と壁面のように方向が異なる面上でも、電線やケーブルをそれらの面に沿って敷設することができる。
【００４５】
また、この継ぎ手４０の一方の端部の開口４１に図３のコネクタ２０の一端部を挿入することで、継ぎ手４０とコネクタ２０を接続できる。その場合、継ぎ手４０の他方の端部の開口４１から挿通した電線６ａ，６ｂ，６ｃの端部を、コネクタ２０の一端面の挿入口９ａ，９ｂ，９ｃに挿入し、コネクタ２０の他端側の挿入口９ａ，９ｂ，９ｃには、図１又は図２の電線保護カバー１又は１０の一端面から突出した電線６ａ，６ｂ，６ｃの端部を挿入することにより、図１又は図２の電線保護カバー１又は１０でカバーされた電線と継ぎ手４０でカバーされた電線とを電気的に接続することができる。
【００４６】
以上の配線具を用いて前述の電線とケーブルを含む配線構造を設置するときは、一定の長さの電線保護カバー１又は１０を、コネクタ２０で接続しながら敷設作業を行うが、それらの敷設場所のスペースや距離に応じて、電線保護カバー１又は１０の長さを切断することが必要になる。その場合には、電線保護カバー１又は１０を適当な長さで切断するため、当該カバーを形成している絶縁材を切断する工具が用いられる。
【００４７】
以上、図示の実施例によれば、カバーされた電線と共に同軸ケーブルやＬＡＮケーブル等を取りまとめ、最少工程の作業で迅速且つ容易に敷設することができる。
【図面の簡単な説明】
【図１】本発明の第１実施例の電線保護カバーを示す斜視図である。
【図２】別実施例の電線保護カバーを示す斜視図である。
【図３】本発明の実施例のコネクタを示す斜視図である。
【図４】実施例の下コネクタ部材の接合面の形状を示す斜視図である。
【図５】図３のＶ−Ｖ線に沿った断面図で、上記コネクタに電線の端部を挿入する前後の状態を示す。
【図６】上記コネクタの導電部材を示す斜視図である。
【図７】図５（Ｂ）のＶＩＩ−ＶＩＩ線に沿った断面図である。
【図８】実施例の継ぎ手の外観を示す斜視図である。
【図９】図８のＢ−Ｂ線及びＣ−Ｃ線に沿った断面図である。
【符号の説明】
１，１０…電線保護カバー、２…上カバー部材、３…下カバー部材、４…カバー接合部、５ａ，５ｂ，５ｃ…被覆、６ａ，６ｂ，６ｃ…電線、７，８…溝、９ａ，９ｂ，９ｃ…挿入口、１１…上コネクタ部材、１２…下コネクタ部材、１３…接合部、１４…貫通孔、１５ａ，１５ｂ，１５ｃ…天井部、１６Ｌ，１６Ｒ…導通部、１７Ｌ，１７Ｒ…当接部、１８…カシメ、１９ａ，１９ｂ，１９ｃ…円弧部、２０…コネクタ、３０ａ，３０ｂ，３０ｃ…導電部材、３１ａ，３１ｂ，３１ｃ…切欠き部、４０…継ぎ手、４１…開口、４２…端部、４３…中間部、４４…端部、４５…溝。
【図１】
2004032928.tif 000003
【図２】
2004032928.tif 000004
【図３】
2004032928.tif 000005
【図４】
2004032928.tif 000006
【図５】
2004032928.tif 000007
【図６】
2004032928.tif 000008
【図７】
2004032928.tif 000009
【図８】
2004032928.tif 000010
【図９】
2004032928.tif 000011